(57)【要約】      （修正有）【課題】金網の柔軟性を限界まで高め被削材に対して金網砥石の強制的な押し付けを完全排除して研磨・ホーニングによる研磨面の精度を極限まで高められるソフト金網砥石を提供する。【解決手段】縦・横に交差する各金網線１、２の交点ＣＸを含む全体はニッケル鍍金の電着前にマスキングされ、電着後も交点が固着していない状態に金網体全体１００に柔軟性を持たせたことを特徴とするソフト金網砥石１０である。【選択図】図２
0003224939.tif 000002
【実用新案登録請求の範囲】
【請求項１】
縦・横に交差する各金網線の交点を含む金網全体は電着前にマスキングされ、上記マスキングされた各金属線の交点が形成する円筒外周面を平坦部に削って電着面積が拡げられ、該円筒外周面の平坦部の電着部のみマスキングが剥されて電着され、電着後も上記交点は固着されない状態で金網体全体に柔軟性を持たせたことを特徴とするソフト金網砥石。
【請求項２】
請求項１記載のソフト金網砥石において、被削材に対してソフト金網砥石による強制的な押付力に対して金網体全体の柔軟性により押付力を低減排除させ、研磨面の研削・ホーニングを可能としたことを特徴とするソフト金網砥石。
【請求項３】
請求項１と２記載のソフト金網砥石において、クーラント液の脈動圧をソフト金網砥石の内径全面に内貼したゴム袋に受圧、脈動圧が高い膨張時にソフト金網砥石を増径させ、脈動圧が低い縮小時にソフト金網砥石を減径させる増減率を高く成なし、円筒内面をバルーン研削可能としたことを特徴とするソフト金網砥石。
【考案の詳細な説明】
【技術分野】
【０００１】  本考案は、被削材に対して砥石の強制的な押し付け研磨・ホーニングによる研磨面の精度低下を抑制させるべく開発したソフト金網砥石であって、特に、従来の金網砥石に対して、更に、金網の柔軟性を限界まで高めることで、被削材に対して金網砥石の強制的な押し付けを完全排除することができ、研磨・ホーニングによる研磨面の精度を極限まで高められるソフト金網砥石（ソフトトリノスと言う）に関する。
【背景技術】
【０００２】  近年、研削・研磨に必須のクーラント液について、砥石内通過性を向上させた研削砥石の代表として、クーラントガイド台金付き金網研削砥石と言われる砥石が提案されている。
上記金網研削砥石は、例えば、金網材は円筒に形成されるとともにドーナツ状に巻き込まれた外周面に砥粒を固着させた金網輪体と、上記金網輪体の内周面側を嵌合固定する凹状の嵌合部と工具ホルダに保持される支持部とを具備したクーラントガイドからなり、上記クーラントガイドの支持部にあけた通孔は、上記嵌合部の外周面にあけた多数の放出口と連通されているものである（例えば、特許文献１参照。）。【０００３】  更に、クーラント液の砥石内通過性を持つ砥石は、芯線内部に通孔を有する芯線を筒状に形成した金網体、上記金網体の先端表面に砥粒を焼成又は電着させた鳥の巣状研削砥石において、上記鳥の巣状研削砥石を構成する金網体の後端芯線内の通孔から圧入される研削液又はクーラント液を、金網体の芯線先端に開口する通孔から刃先砥粒に供給する構成としたものである（例えば、特許文献２参照。）。
【特許文献】
【０００４】
【特許文献１】特許第６０４１２４８号公報
【特許文献２】特許第６０４１２４９号公報
【考案の概要】
【考案が解決しようとする課題】
【０００５】  特許第６０４１２４８号公報と特許第６０４１２４９号公報とは、共にクーラント液の砥石内通過性を持つ砥石である。この砥石は、クーラントガイド台金付き金網研削砥石で、この金網材は円筒に形成され、又は芯線内部に通孔を有する芯線を筒状に網目の交点を固着形成した金網体研削砥石である。従って、クーラント液の浸透性に優れているものの、砥石作用時に研削面に強く押し当てると中空体の全体が力強く過剰に変形し、精密な研削加工は保証されない。【０００６】  そこで、本願考案者は、この種の金網体弾性砥石について、その詳細な技術内容を先ず記述する。即ち、金網砥石（俗名でトリノス砥石と言う）とは、金網にダイヤ又はＣＢＮを電着した砥石であってその特性は、従来のビトリファイド砥石、超砥粒電着砥石に比べ、数十倍の砥石内液通性、気通性による冷却能力で研削焼けを抑止し、また、同数十倍切粉ポケット容積で圧倒的な研削の効率化、高品質化が可能である。【０００７】  然し乍ら、上記金網体弾性砥石は、被削材に対して金網砥石の強制的な押付力が加わると、金網体全体の反発力により研磨面の研削精度を低減させてしまう問題点がある。
また、上記金網体弾性砥石は、縦横の金網線の交点が半固定または固着されているから、円筒外周面が突出形状となり広い平坦面が得られないから、この外周面に電着されるダイヤモンド砥粒又はＣＢＮ砥粒の電着量が極小となり、効率の良い研磨作業が得られないし、砥粒の脱落率も高められ、早期に砥石寿命が訪れると言う問題点がある。
また、上記金網砥石によると、クーラント液の脈動圧を金網砥石の内径全面に内貼したゴム袋に対して受圧させ、脈動圧が高い膨張時に金網砥石を増径させ、脈動圧が低い縮小時に金網砥石を減径させる増減率が低く、円筒内面の全長全面を低効率にバルーン研削していた。【０００８】  本願考案者は、上記の如く従来の金網体弾性砥石における各種のデメリットに鑑み、この各種デメリットを完全解消する新規なソフト金網砥石を精鋭に研究開発した。
【課題を解決するための手段】
【０００９】  本考案の目的となるソフト金網砥石１０と、上記特許第６０４１２４８号公報と特許第６０４１２４９号公報のクーラントガイド台金付き金網研削砥石であるハード金網砥石２０との相違点を図１〜図２により説明する。図１において、ハード金網砥石２０（金網体の一部のみを示す）は、縦・横に交差する金網線１と２の交点ＣＸを含む全体を電着（ニッケル鍍金）Ｄ１したもので、全体の形状硬さがある金網電着砥石（ハードト金網砥石）２０である。【００１０】  上記目的を達成する請求項１のソフト金網砥石１０は、縦・横に交差する各金網線の交点を含む金網全体は電着前にマスキングされ、上記マスキングされた各金属線の交点が形成する円筒外周面を平坦部に削って電着面積が拡げられ、該円筒外周面の平坦部の電着部のみマスキングが剥されて電着され、電着後も上記交点は固着されない状態で金網体全体に柔軟性を持たせたことを特徴とする。【００１１】  請求項２記載のソフト金網砥石１０は、請求項１記載のソフト金網砥石において、被削材に対してソフト金網砥石による強制的な押付力に対して金網体全体の柔軟性により押付力を低減排除させ、研磨面の研削・ホーニングを可能としたことを特徴とする。【００１２】  請求項３記載のソフト金網砥石は、請求項１のソフト金網砥石において、請求項１と２記載のソフト金網砥石において、クーラント液の脈動圧をソフト金網砥石の内径全面に内貼したゴム袋に受圧されることで、脈動圧が高い膨張時にソフト金網砥石を増径させ、脈動圧が低い縮小時にソフト金網砥石を減径させる増減率を高く成し、円筒内面の全長全面をバルーン研削することを特徴とする。
【考案の効果】
【００１３】  請求項１のソフト金網砥石によると、縦・横に交差する金網線１と２の交点ＣＸを含む全体を電着前にマスキングし、上記マスキングは電着部のみ剥されて電着され、電着後も上記交点は固着しない状態となして金網体全体に柔軟性を持たせたソフト金網砥石としたから、例えば、円筒内面加工（図５に図示）が可能となる。特に、柔軟性があるから、円滑な増減径を脈動しながら繰り返えすから、従来にない研削・研磨・ホーニング加工が可能となる。【００１４】  請求項２のソフト金網砥石は、被削材に対してソフト金網砥石の強制的な押付力は金網体全体の柔軟性により低減排除され、研磨面の研削精度を極限まで高めることを特徴とするから、合理的に高効率に高精度な「研削」「研磨」「ホーニング」加工を実施できるソフト金網砥石が提供できる。【００１５】  請求項３のソフト金網砥石によると、クーラント液の脈動圧をソフト金網砥石の内径全面に内貼したゴム袋に対して受圧させ、脈動圧が高い膨張時にソフト金網砥石を増径させ、脈動圧が低い縮小時にソフト金網砥石を減径させる増減率が高く、円筒内面の全長全面を高効率にバルーン研削が、高効率に実施できる。
【図面の簡単な説明】
【００１６】
【図１】  従来の実施形態を示し、ハード金網砥石の金網体交点の拡大図である。
【図２】  本考案の実施形態を示し、ソフト金網砥石の金網体交点の拡大図である。
【図３】  本考案の実施形態を示し、ソフト金網砥石の製造工程図である。
【図４】  本考案の実施形態を示し、ソフト金網砥石の外周円筒の電着面を平坦面とする拡大図である。
【図５】  本考案のソフト金網砥石を増減径に脈動させる作用図である。
【図６】  本考案のソフト金網砥石の各種形態を示す斜視図と作用図である。
【図７】  本考案のソフト金網砥石を増減径に脈動するクーラント供給装置の系統図である。
【考案を実施するための形態】
【００１７】  以下、図１〜図７により、本考案のソフト金網砥石１０の構成を順次に説明する。
【実施例】
【００１８】  先ず、ソフト金網砥石１０は、図２において、縦・横に交差する各金網線１と２の交点ＣＸを含む全体を電着前にマスキングされ、上記マスキングは図４に見るように、電着部となる平坦面６（電着部６）のみ剥されて電着される。電着後も上記交点ＣＸは固着しない状態となして金網体全体１００に伸縮する柔軟性を持たせたソフト金網砥石１０である。【００１９】  上記ソフト金網砥石１０によると、縦・横に交差する金網線１と２の交点ＣＸを含む全体が固着しない自由状態に柔軟性を持たせたから、例えば、円筒内面加工（図５に図示）が可能となる。クーラントポンプからの脈動圧は、ソフト金網砥石１０の内径全面に内貼したゴム袋（図示無し）を脈動圧Ｐ１〜Ｐ３で加圧させて膨らませて砥石を増径（図５（ｂ））させ、を脈動圧：０で砥石を減径（図５（ａ））させる。これにより、ワークとなる円筒内面の全長全面を一度に研磨するバルーン加工が容易に実施できる。この時、ソフト金網砥石１０は、特に、柔軟性があるから、円滑な増減径を脈動圧により繰り返すから、従来にない研削・研磨・ホーニング加工が高精度に行える。【００２０】  また、上記ソフト金網砥石１０は、被削材に対してソフト金網砥石による強制的な押付力に対して金網体全体の柔軟性により押付力を低減排除させるから、合理的に高効率に高精度な「研削」「研磨」「ホーニング」加工を実施できるソフト金網砥石が提供できる。【００２１】  続いて、図３により、本考案のソフト金網砥石１０について、その製造工程を説明する。先ず、金網体１００を円筒形状に形成（整形）してソフト金網砥石１０とする形成工程Ａと、金網体１００をマスキング液槽８０のマスキング液Ｍに浸すマスキング工程Ｂと、マスキング液槽８０から金網体１００を取り出すマスキング取出工程工程（Ｃ）と、電着部となる平坦面６のみマスキングを剥がす工程Ｄと、金網体１００の縦・横に交差する各金属線１，２が形成する円筒外周面５の平坦面６（図４（ａ）に示す）をリング状砥石Ｔ（該砥石Ｔは、図示のものに限定されず、各種形状の砥石が採用されること勿論である。）で、円筒外周面５を移動させながら平坦に削って電着面積を拡げる面積拡張工程Ｄ１と、（図４（ｂ）に示す）ダイヤモンド砥粒又はＣＢＮ砥粒Ｇを円筒外周面５の平坦面６に電着する電着工程Ｅ、上記電着工程Ｅは、図３（５）に示す様に、電着槽９０内の電着液９１により平坦面６にダイヤモンド砥粒又はＣＢＮ砥粒Ｇを電着する。最後にマスキングの全てを剥離する工程Ｆからなり、ソフト金網砥石１０が得られる。【００２２】  上記金網体１００の縦・横に交差する各金属線１，２が形成する円筒外周面５を平坦６に削って電着面積を拡げる工程（Ｄ１）は、再度説明するが、図４に示すように、金網体１００（ソフト金網砥石１０）における縦・横に交差する各金属線１，２の網目が外径方向に突出した箇所が砥石Ｔ（他の任意な砥石でも良い）により、平坦面状６に削り取られる。【００２３】  即ち、電着前の形状調節研削（一般的な電着の後に行われる「調研」とは異なる）は、金網１００を丸めた状態の非真円・円筒で非同軸を修正するための外周円筒研削であり、この時に電着部分の平坦面６を形成する工程となる。これによる効果は、電着部分の平坦面の面積が広く取れ、ここへの砥粒Ｇの電着量が多くなり、研削作用効率と研削効果がより優れたものとなる。【００２４】  上記ソフト金網砥石１０は、図６（ａ）〜（ｆ）に示す各種トリノス砥石１０〜１４，１４Ａの斜視図と、このトリノス砥石による加工例を作用図として説明できる。図６（ａ）は、（１）トリス／トレパニングで、円筒状のソフト金網砥石１０である。これによる加工は、ホルダＨの先端に取付けたソフト金網砥石１０で、ワークＷに穴ｈ１の貫通加工を行う。６（ｂ）は、（２）トリノス／カッティング１１である。これによる加工は、ホルダＨ１に取付けたトリノス／カッティング１１でワークＷの切断を行う。６（ｃ）は、（３）トリノス／フラット１２，１２Ａである。これによる加工は、ホルダＨ２に取付けたトリノス／フラット１２でワークＷの側面加工、フラット１２Ａで、ワークＷの側面の斜め加工を行う。６（ｄ）は、（４）トリノス／Ｒ１３，１３Ａである。これによる加工は、ホルダＨ３に取付けたトリノス／Ｒ１３でワークＷの凹み加工、トリノス／Ｒ１３ＡでワークＷの半球加工を行う。６（ｅ）は、（５）トリノスフオームード１４でワークＷの段差加工、１４ＡでワークＷの三角山加工を行う。６（ｆ）は、（６）トリノス／増減径バルーン１０である。この加工は、ホルダＨ５の流体噴出保持部３０に取付けた増減径バルーン（ゴム袋で図示無し）を内装したソフト金網砥石１０が流体の脈動圧により、増減径して穴の研削加工を行う。【００２５】  以上のように、ソフト金網砥石１０とトリノス砥石〜１４，１４Ａによると、これらの砥石展開によりワークＷの各種加工面が得られる。【００２６】  続いて、ソフト金網砥石１０について、図５に示す最適円筒内面加工例を説明する。クーラントポンプＰの脈動圧Ｐ１〜Ｐ３をソフト金網砥石１０の内径全面に内貼したゴム袋（図示なし）が受圧して膨張するとソフト金網砥石１０を増径させ、減圧でソフト金網砥石１０を減径し、円筒内面の全長全面を一度に研削するバルーン研削加工が行える。特に、ソフト金網砥石１０は、外径が増減する伸縮性・柔軟性があるから、スムーズな増減径をクーラントポンプＰの脈動圧Ｐ１〜Ｐ３で繰り返し行われ、従来のハードトリノス金網砥石「トリノス（金網）砥石」２０では得られない「研削」「研磨」「ホーニング」加工が得られる。【００２７】  上記最適円筒内面加工例は、図７のクーラント供給装置５０によって制御される。上記クーラント供給装置５０と、ＮＣ制御装置６０と、ソフト金網砥石１０との関係構成を以下で詳細に説明する。【００２８】  上記クーラント供給装置５０は、駆動源のモーターＭＯによりタンクＴ内のクーラント液ＣＫを供給する２気筒プランジャーポンプＰ（単筒ＡＣ、ＢＣ）と、該プランジャーポンプＰから吐出する脈動圧のクーラント液ＣＫを多種多様に切替える逆止弁Ｖ１〜Ｖ５と切替弁Ｖ６、Ｖ７を備えている。上記逆止弁Ｖ１〜Ｖ５の切り替えで、４種類のクーラント液ＣＫをソフト金網砥石１０まで配管・供給する経路を形成している。尚、吐出されるクーラント液ＣＫは、ＮＣ制御装置６０からのＮＣプログラムＰＧの制御により、単筒ＡＣの圧力Ｐ１、単筒ＢＣの圧力Ｐ２、両方の合成��力（Ｐ１＋Ｐ２）Ｐ３と、該合成圧力（Ｐ１＋Ｐ２）Ｐ３をアキュームレーターＡＱに入れて一定圧Ｐ０とする４種類に切替えられる。以上の如く、上記４種類の脈動圧によるソフト金網砥石１０の膨張・縮小動作を行い、従来のトリノス（金網）砥石２０では得られない「研削」「研磨」「ホーニング」加工の効果が得られる。その作用は、図５のソフト金網砥石１０に示す。即ち、クーラント液ＣＫは主軸Ｓの孔ｈから先端に取付けた流体噴出保持部３０に導かれる。流体噴出保持部３０にゴム袋（図示なし）を介して嵌められた外周にソフト金網砥石１０を嵌める。即ち、ゴム袋（図示なし）を内装したソフト金網砥石１０が脈動圧「Ｐ１，Ｐ２，Ｐ３」により、増減径しながら穴の研削加工が行なわれる。
【産業上の利用可能性】
【００２９】  本考案は、上記ソフト金網砥石において、その用途は上記実施例に限定されない。更に図示の実施形態にも限定されず、各種実施形態に適用されること勿論である。
【符号の説明】
【００３０】  １，２              金網線
５                  円筒外周面
６                  平坦面
１０                ソフト金網砥石
３０                流体噴出保持部
５０                クーラント供給装置
６０                ＮＣ制御装置
８０                マスキング液槽
９０                電着槽
９１                電着液
１００              金網体全体
１１０              マスキング液槽
ＣＸ                交点
ＣＫ                クーラント液
Ａ                  形成（整形）工程
Ｂ                  マスキング工程
Ｃ                  マスキング取出工程
Ｄ                  マスキング剥し工程
Ｄ１                面積拡張工程
Ｅ                  電着（ニッケル鍍金）
Ｆ                  完成工程
Ｇ                  砥粒
Ｍ                  マスキング液
Ｐ                  クーラントポンプ
Ｐ１〜Ｐ３          脈動圧
Ｓ                  主軸
Ｗ                  ワーク
【図１】
0003224939.tif 000003
【図２】
0003224939.tif 000004
【図３】
0003224939.tif 000005
【図４】
0003224939.tif 000006
【図５】
0003224939.tif 000007
【図６】
0003224939.tif 000008
【図７】
0003224939.tif 000009
【手続補正書】
【提出日】令和1年11月1日(2019.11.1)
【手続補正１】
【補正対象書類名】実用新案登録請求の範囲
【補正対象項目名】請求項３
【補正方法】変更
【補正の内容】
【請求項３】
請求項１または２記載にソフト金網砥石において、クーラント液の脈動圧をソフト金網砥石の内径全面に内貼したゴム袋に受圧、脈動圧が高い膨張時にソフト金網砥石を増径させ、脈動圧が低い縮小時にソフト金網砥石を減径させる増減率を高く成し、円筒内面をバルーン研削可能としたことを特徴とするソフト金網砥石。